(57)【要約】      （修正有）【課題】容易かつ安定に、恐怖感なく点眼でき、製造費用の上昇をも抑制できる目薬容器を提供する。【解決手段】目薬容器１０の、容器本体11の上側面１１ａに延出形成する注出ノズル１３の少なくとも先端部側を、容器上側面１１ａと鋭角となる方向に傾斜させた。上記の如く、注出ノズル１３を傾斜させたことで、顔を真上に向けなくとも、顔を軽く傾けるだけで、液滴が目に自然に落下してくるので、容易に目薬を注すことができる。その際、目薬容器１０は視線の下側にくるため、上から薬滴が落下する際の恐怖感は軽減する。また、目薬容器１０を持つ手の脇もしまり、持ち手がぶれて目薬容器１０の位置取りが不安定となることもない。さらには、従来の目薬容器の注出ノズルの延出角度を変えるだけで良いので、目薬容器１０の製造費用上昇を抑制でき、目薬製造メーカーにとってもメリットがある。【選択図】図１
0003171870.tif 000002
【実用新案登録請求の範囲】
【請求項１】
薬液が充填される容器本体の上側面に、先端に注液口を有する注出ノズルが延出形成された目薬容器において、
前記注出ノズルの少なくとも先端部側は、前記容器上側面と鋭角となる方向に傾斜することを特徴とする目薬容器。
【請求項２】
前記傾斜角は約４５度であることを特徴とする請求項１に記載の目薬容器。
【請求項３】
前記容器は偏平であって、前記注出ノズル傾斜部の延出方向は、前記容器上側面の長手方向に並行であることを特徴とする請求項１又は２に記載の目薬容器。
【請求項４】
前記容器の前記注出ノズル傾斜側の側面は、頬当て用凹部が形成されていることを特徴とする請求項１〜３のいずれかに記載の目薬容器。
【請求項５】
前記頬当て用凹部は、前記容器の上方側に形成されていることを特徴とする請求項４に記載の目薬容器。
【考案の詳細な説明】
【技術分野】
【０００１】
本考案は、目薬容器に係り、特に、目薬容器の注出ノズル及び容器形状の改良に関する。
【背景技術】
【０００２】
従来、目薬を点眼する際には、図８に示すように、顔を真上に向け、目薬容器１を目の上に揚げ、薬液２を目に落下させて行う。このため、上から落ちてくる薬液２に対して恐怖感を感じ、目を守ろうとして目を閉じてしまったり、目薬容器１を上に揚げる動作を要することから容器１を持つ腕の脇が空いてしまい、位置取りが不安定となったりして、うまく点眼できないことが多い。
【０００３】
これに対し、特許文献１のように、目薬容器の注出ノズルの先端に合成樹脂製の球状頭部を膨出形成し、係る球状頭部の側面に、液きり用の舌片部を形成した注液口を設け、該球状頭部の基端部側にくびれ部を設けることで、使用者が目薬容器を目の上に揚げて薬液を目に落下させる際に、注液口から出た薬液が、くびれ部によりノズル基端部側に伝ることなく、表面張力により球状頭部を伝って下方に落下して、点眼に失敗しないように形状工夫された目薬容器がある。
【先行技術文献】
【特許文献】
【０００４】
【特許文献１】特開２００３−１９９８０５号公報（段落番号００１７〜００２８、図１〜５、図１０）
【考案の概要】
【考案が解決しようとする課題】
【０００５】
しかし、特許文献１では、点眼の失敗を低減することはできるが、使用者が顔を真上に揚げて薬液を目に落下させて点眼することに変わりはないため、薬液が視界に入ってしまい、前述の恐怖感を拭うことはできない。また、目薬容器を目の上に揚げる点眼動作は、脇が締まらない体勢を取らざるを得ないことから不安定感が残る。さらには、注出ノズルに特異な球状頭部を形成しなければならないため、注出ノズル部の樹脂成形が複雑となって、目薬容器の製造コストが高くなるという問題があった。
【０００６】
本考案は、前記従来技術の問題点に鑑みて為されたもので、その目的は、容易かつ安定に、恐怖感を感じることなく点眼でき、さらには製造費用の上昇をも抑制できる目薬容器を提供することにある。
【課題を解決するための手段】
【０００７】
前記目的を達成するために、請求項１では、薬液が充填される容器本体の上側面に、先端に注液口を有する注出ノズルが延出形成された目薬容器において、前記注出ノズルの少なくとも先端部側は、前記容器上側面と鋭角となる方向に傾斜することを特徴とする。
【０００８】
請求項２では、請求項１に記載の目薬容器において、前記傾斜角は約４５度であることを特徴とする。
【０００９】
請求項３では、請求項１又は２に記載の目薬容器において、前記容器は偏平であって、前記注出ノズル傾斜部の延出方向は、前記容器上側面の長手方向に並行であることを特徴とする。
【００１０】
請求項４では、請求項１〜３のいずれかに記載の目薬容器において、前記容器の前記注出ノズル傾斜側の側面は、頬当て用凹部が形成されていることを特徴とする。
【００１１】
請求項５では、請求項４に記載の目薬容器において、前記頬当て用凹部は、前記容器の上方側に形成されていることを特徴とする。
【考案の効果】
【００１２】
請求項１及び２に係る考案によれば、目薬容器を、正面を向いたまま、点眼したい目の側の頬のあたりに構え、注出ノズルを瞳の中心あたりに合わせ、顔を軽く傾けると、注出ノズルが傾斜（４５度）していることから、注出ノズル（注液口）と目（角膜）の角度が略直角に保たれて、注出ノズルから落下する薬液が、そのまま目に入ることとなる。
【００１３】
よって、注出ノズルを傾斜（４５度）させたことで、顔を真上に向けなくとも、顔を軽く傾けるだけ（約４５度ほど傾けるだけ）で、液滴が目に自然に落下してくるので、容易に目薬を注すことができるようになる。そしてその際、目薬容器を目の上に揚げるのではなく、頬のあたりに配置するので、目薬容器は視線の下側にくる。このため、上から薬滴が落下する際の恐怖感は軽減され、これが理由で目をつぶってしまうことはなくなる。また、目薬容器は頬のあたりに配置すれば良いことから、容器を持つ手の脇もしまり、持ち手がぶれて目薬容器の位置取りが不安定となることもない。さらには、本願発明の目薬容器は、従来の目薬容器の注出ノズルの延出角度を変えるだけで良いので、注出ノズルの構造を複雑化したり、注出ノズルに点眼用補助具等の別部材を装着したりする必要が無いので、目薬容器の製造費用上昇を抑制でき、目薬製造メーカーにとってもメリットがある。
【００１４】
請求項３に係る考案によれば、目薬容器は、通常一般に、容器を指で押圧しやすいよう偏平形状であることが多いが、注出ノズルを前記容器上側面の長手方向と並行方向に曲げれば、注出ノズルが容器の外形寸法内に収まるので、注出ノズルを傾斜させた構成をとっても（注出ノズルを曲げても）邪魔にならない。注出ノズルの曲げは、容器上側面の幅方向に行うことも考えられるが、注出ノズル先端部側が容器の外形寸法からはみ出し、使いづらく、流通コストも上昇するおそれがある。
【００１５】
請求項４及び５に係る考案によれば、目薬容器を頬のあたりに構える際に、頬当て用凹部を頬のふくらみに添えれば、目薬容器が頬で支承されるので、目薬容器の位置取りが安定し、よりいっそう容易かつ確実に点眼できる。その際、頬当て用凹部は、最も頬と当たりやすい容器の上方側に形成することが好ましい。
【考案を実施するための形態】
【実施例１】
【００１６】
図１〜図６は、本考案の目薬容器の一実施の形態を示し、図１は第１の実施例に係る目薬容器の斜視図、図２は同目薬容器の正面図、図３は同目薬容器の左側面図、図４は同目薬容器の右側面図、図５は同目薬容器の平面図、図６は同目薬容器の使用状態を示す図である。
【００１７】
これらの図において、目薬容器１０は、容器本体１１と、該容器本体１１から延出する注出ノズル１３と、該注出ノズル１３に取り付けるキャップ２０とから構成されている。
【００１８】
容器本体１１は、合成樹脂によって押圧変形可能に形成された偏平な中空容器であり、その内部には目薬用薬液２が充填されている。容器本体１１の一側面には、注出ノズル１３が容器本体１１と一体に延出形成されている。係る注出ノズル１３が形成された面が、目薬容器１０を正立させた場合の容器本体１１の上側面１１ａとなる。
【００１９】
注出ノズル１３は、容器上側面１１ａから上方垂直に延出したのち、容器上側面１１ａの長手方向と並行方向に、容器上側面１１ａを基準面として４５度傾斜して延出しており、その先端に注液口１４が空けられている。言い換えると、注出ノズル１３は、上方垂直に延出する基端部側のノズル垂直部１３ａに対し、先端部側は容器上側面１１ａを基準面として４５度傾斜したノズル傾斜部１３ｂとなっていて、先端部側が斜め上を向くように屈曲している。なお、ノズル傾斜部１３ｂの外周には、目薬容器１０を液密にするためのキャップ２０に形成された雌ねじ部（図示せず）と螺合する雄ねじ部１５が形成されている。
【００２０】
そして、上記容器本体１１の注出ノズル１３傾斜側（ノズル傾斜部１３ｂ延出側）の側面１２（以下、ノズル側側面１２）は、その上方側（容器上側面１１ａ側）から中央部にかけて、人の頬のラウンド形状に倣って内に窪む椀形状を呈しており、頬当て用凹部１２ａが形成されている。係る注出ノズル１３及び頬当て用凹部１２ａを備える容器本体１１は、ブロー成形により形成することができる。
【００２１】
次に、上記目薬容器１０の使用方法について説明する。先ず、キャップ２０を容器本体１１から外し、正面を向いたまま、目薬容器１０のノズル側側面１２を、点眼したい目の側の頬のあたりに構え、頬当て用凹部１２ａを頬のふくらみに添って当てがうと、瞳の中心あたりに注出ノズル１３の先端が配置される。次に、顔を軽く傾け（約４５度ほど）、１〜２滴程度の薬液２が出る強さで容器本体１１を指で押すと、注出ノズル１３が傾斜（４５度）していることから、注出ノズル１３の先端の注液口１４と目（角膜）の角度が直角に保たれて、注出ノズル１３から落下する薬液が、そのまま目に落下し、点眼される。
【００２２】
本実施例によれば、注出ノズル１３の先端部側にノズル傾斜部１３ｂを設けたことで、顔を真上に向けなくとも、顔を軽く傾けるだけ（約４５度ほど傾けるだけ）で、薬液２が目に自然に落下してくるので、容易に目薬を注すことができる。その際、目薬容器１０は、目の上に揚げるのではなく、頬のあたりに配置して使用するので、容器本体１１は視線の下側にくる。このため、上から落ちてくる薬液２への恐怖感は軽減或いは解消され、これが理由で目をつぶってしまい、薬液２を顔にこぼす失敗はなくなる。
【００２３】
また、目薬容器１０は頬のあたりに配置すれば良いことから、従来のように、目薬容器を上に揚げる動作で容器を持つ腕の脇が空いて、持ち手がぶれるということがなく、容器を持つ腕を曲げて脇をしめた姿勢で、持ち手を安定させた上で点眼できる。その上、頬当て凹部１２ａを形成したことにより、容器本体１１は頬で支承されるので、目薬容器１０の位置取りが安定し、容易かつ確実に点眼できる。
【００２４】
さらに、本実施例の目薬容器１０は、従来の目薬容器の注出ノズルの延出角度を変えるだけ、即ち従来の注出ノズルにノズル傾斜部１３ｂを形成するだけで良いので、注出ノズルの構造を複雑化したり、注出ノズルに点眼用補助具を別途備え付ける必要が無いので、目薬容器１０の製造費用上昇を抑制でき、目薬製造メーカーにとっても有益な構成である。
【００２５】
また、ノズル傾斜部１３ｂは、容器上側面１１ａの幅方向に延出させることも考えられるが、ノズル傾斜部１３ｂが容器本体１１の外形寸法からはみ出し使いづらく、目薬容器１０の寸法が広がるため、流通コストも上昇するおそれがある。しかし本実施例では、ノズル傾斜部１３ｂは、容器上側面１１ａの長手方向と並行方向に延出させているので、注出ノズル１３が容器本体１１の外形寸法内に収まって、注出ノズル１３を傾斜させても邪魔にならない構成となっている。よって、ユーザにとっても使い易く、コンパクトな目薬容器１０となっている。
【実施例２】
【００２６】
図７は第２の実施例に係る目薬容器の斜視図である。第２の実施例は、注出ノズル１３を形状変更した以外の構成は、第１の実施例と同様である。第２の実施例では、注出ノズル１３は、ノズル垂直部１３ａを形成せず、容器上側面１１ａからそのままノズル傾斜部１３ｂを延出形成したものである。言い換えると、注出ノズル１３は、容器上側面１１ａから、容器上側面１１ａの長手方向と並行方向に、容器上側面１１ａを基準面として４５度傾斜して延出し、その先端に注液口１４が空けられている。本実施例によれば、第１の実施例よりも構成が簡潔となって、よりコンパクトになるとともに、使用樹脂量も少なくて済む分、製造費用上昇抑制効果も高い目薬容器１０となる。
【００２７】
なお、上記実施例において、頬当て凹部１２ａはノズル側側面１２全体に亘って形成してもよいが、最も頬と当たりやすい容器の上方側に形成することが好ましい。
【００２８】
また、上記実施例において、注出ノズル１３は容器本体１１と一体に成形したが、容器上側面１１ａからノズル取付部を一体成形し、注出ノズル１３を基端部に嵌合部を形成した別部材として成形し、注出ノズル１３をノズル取付部と嵌合させて一体とする構成も考えられる。
【図面の簡単な説明】
【００２９】
【図１】第１の実施例に係る目薬容器の斜視図。
【図２】同目薬容器の正面図。
【図３】同目薬容器の左側面図。
【図４】同目薬容器の右側面図。
【図５】同目薬容器の平面図。
【図６】同目薬容器の使用状態を示す図。
【図７】第２の実施例に係る目薬容器の斜視図。
【図８】従来の目薬容器及びその使用状態を示す図。
【符号の説明】
【００３０】
２            薬液
１０          目薬容器
１１          容器本体
１１ａ        上側面
１２          ノズル側側面
１２ａ        頬当て用凹部
１３          注出ノズル
１３ｂ        ノズル傾斜部
１４          注液口
【図１】
0003171870.tif 000003
【図２】
0003171870.tif 000004
【図３】
0003171870.tif 000005
【図４】
0003171870.tif 000006
【図５】
0003171870.tif 000007
【図６】
0003171870.tif 000008
【図７】
0003171870.tif 000009
【図８】
0003171870.tif 000010